【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
動的スペクトルコントローラ（ＤＳＣ）メモリと、ＤＳＣメモリと接続されるＤＳＣプロセッサと、を含むＤＳＣと、
通信リンクを介して前記ＤＳＣに接続される動的スペクトルポリシコントローラ（ＤＰＣ）プロセッサを含むＤＰＣと
を含む、動的スペクトルアービトラージ（ＤＳＡ）システムであって、
前記ＤＳＣプロセッサは、
前記ＤＳＣによってサービスされる第1の電気通信ネットワーク内のセルを識別すること、
第１の電気通信ネットワーク内の前記ＤＳＣによってサービス提供される前記識別されたセル内に割り当てに利用可能な無線周波数（ＲＦ）スペクトルおよびデータ帯域幅があるかどうかを判定するために前記ＤＳＣメモリに格納されたコンテキスト情報を使用し、
前記識別されたセル内に割り当てに利用可能なＲＦスペクトルがあると判定することに応答して、資源登録要求メッセージを生成すること、
前記資源登録要求メッセージを生成することは通信メッセージを生成することを含み、通信メッセージを生成することは、
第２の電気通信ネットワーク内の無線デバイスによって割り当ておよび使用に利用可能なデータ帯域幅の量を識別するデータ帯域幅情報要素（ＩＥ）と、
利用可能にされるデータ帯域幅の位置に関するグリッド識別子を決定する際に使用するのに適した情報を含むグリッドＩＥのリストと、を含み、
前記データ帯域幅ＩＥおよび前記グリッドＩＥのリストを含む前記資源登録要求メッセージを前記ＤＰＣに送信すること、
前記データ帯域幅ＩＥおよび前記グリッドＩＥのリストを含む前記資源登録要求メッセージを前記ＤＰＣに送信することに応答して、前記ＤＰＣから資源登録応答メッセージを受信すること、
前記第２の電気通信ネットワークによって要求されたデータ帯域幅の量を識別する情報を含む落札成功メッセージを受信すること、及び
前記第２の電気通信ネットワーク内のワイヤレスデバイスによるアクセス及び使用のための前記要求されたＲＦスペクトルの量および前記要求されたデータ帯域幅の量を委任するために、資源割り当てメッセージを前記ＤＰＣに送信すること
を含む動作を、プロセッサ実行可能命令を用いて実行するように構成される、動的スペクトルアービトラージ（ＤＳＡ）システム。
【請求項２】
前記ＤＳＣプロセッサは、前記資源登録要求メッセージを生成することが、
資源が利用可能にされる期間を決定する際に使用するのに適した情報を含む継続時間ＩＥ
を含むように前記資源登録要求メッセージを生成すること、を含む動作を、プロセッサ実行可能命令を用いて実行するように構成される、請求項１に記載のＤＳＡシステム。
【請求項３】
前記ＤＳＣプロセッサは、前記第１の電気通信ネットワーク内の複数のｅＮｏｄｅＢの混雑状態をモニタすることをさらに含む動作を、プロセッサ実行可能命令を用いて実行するように構成され、及び
前記ＤＳＣプロセッサは、前記識別された前記セル内に割り当てに利用可能なＲＦスペクトルおよびデータ帯域幅があるかどうかを判定するために前記ＤＳＣメモリに格納されたコンテキスト情報を使用することが、
割り当てに利用可能なＲＦスペクトルおよびデータ帯域幅があるかどうかを前記モニタされた前記複数のｅＮｏｄｅＢの混雑状態に基づいて判定すること
を含む動作を、プロセッサ実行可能命令を用いて実行するように構成される、請求項１に記載のＤＳＡシステム。
【請求項４】
前記ＤＳＣプロセッサが、入札状態、入札役割、入札帯域幅、入札開始時間、入札失効時間、貸主ネットワーク識別子、グリッド及びセル識別子リスト、ならびにクローズド加入者グループ識別子のうちの１つを前記コンテキスト情報として使用するために前記ＤＳＣメモリに記憶することにより、データコンテキスト情報を維持することをさらに含む動作を、プロセッサ実行可能命令を用いて実行するように構成される、請求項１に記載のＤＳＡシステム。
【請求項５】
前記ＤＰＣプロセッサが、
前記資源登録要求メッセージを受信すること、
前記資源登録要求メッセージを受諾するかどうかを判定すること、及び
前記資源登録要求メッセージを受諾すると判定することに応答して、前記データ帯域幅ＩＥ内で識別される前記ＲＦスペクトルの量および前記帯域幅の量を資源のプールに追加すること
を含む動作を、プロセッサ実行可能命令を用いて実行するように構成される、請求項１に記載のＤＳＡシステム。
【請求項６】
前記ＤＰＣプロセッサが、
前記第２の電気通信ネットワーク及び複数のさらなる電気通信ネットワークから資源入札を受信することであって、各資源入札は入札額及び前記要求されたＲＦスペクトルの量および前記要求された帯域幅の量を含み、
前記第２の電気通信ネットワークから受信した前記資源入札内の前記入札額が、前記要求された帯域幅の量に対して最も高い入札であると判定すること、及び
前記第２の電気通信ネットワークから受信した前記資源入札内で識別される前記要求されたＲＦスペクトルの量および前記要求された帯域幅の量を識別する情報を含むように前記落札成功メッセージを生成すること
をさらに含む動作を、プロセッサ実行可能命令を用いて実行するように構成される、請求項５に記載のＤＳＡシステム。
【請求項７】
前記ＤＰＣプロセッサが、
アービトラージプロセス、登録されたＤＳＣ、及び入札に関するデータコンテキスト情報を前記ＤＰＣに含まれるＤＳＣメモリに維持すること
を含む動作を、プロセッサ実行可能命令を用いて実行するように構成される、請求項６に記載のＤＳＡシステム。
【請求項８】
前記ＤＰＣプロセッサが、データコンテキスト情報を維持することが、
入札状態、
入札役割、
落札者リスト、
落札者、
入札帯域幅、
入札開始時間、
入札失効時間、
貸主ネットワーク識別子、
グリッド及びセル識別子リスト、ならびに
クローズド加入者グループ識別子
のうちの少なくとも１つを前記ＤＰＣメモリに記憶することを含む動作を、プロセッサ実行可能命令を用いて実行するように構成される、請求項７に記載のＤＳＡシステム。
【請求項９】
動的スペクトルコントローラ（ＤＳＣ）内のプロセッサを介して、前記ＤＳＣによってサービスされる第1の電気通信ネットワーク内のセルを識別することと、
前記識別されたセル内に割り当てに利用可能な無線周波数（ＲＦ）スペクトルおよびデータ帯域幅があるかどうかを判定するために前記ＤＳＣ内のＤＳＣメモリに格納されたコンテキスト情報を使用することと、
前記識別されたセル内に割り当てに利用可能なＲＦスペクトルがあると判定することに応答して、資源登録要求メッセージを生成することと、
前記資源登録要求メッセージを生成することは通信メッセージを生成することを含み、通信メッセージを生成することは、
第２の電気通信ネットワーク内の無線デバイスによって割り当ておよび使用に利用可能なＲＦスペクトルおよびデータ帯域幅の量を識別するデータ帯域幅情報要素（ＩＥ）と、
利用可能にされるデータ帯域幅の位置に関するグリッド識別子を決定する際に使用するのに適した情報を含むグリッドＩＥのリストと、を含み、
前記データ帯域幅ＩＥおよび前記グリッドＩＥのリストを含む前記資源登録要求メッセージを動的スペクトルポリシコントローラ（ＤＰＣ）に送信することと、
前記データ帯域幅ＩＥおよび前記グリッドＩＥのリストを含む前記資源登録要求メッセージを送信することに応答して、前記ＤＰＣから資源登録応答メッセージを受信することと、
前記第２の電気通信ネットワークによって要求されたデータ帯域幅の量を識別する情報を含む落札成功メッセージを受信することと、
前記第２の電気通信ネットワーク内のワイヤレスデバイスによるアクセス及び使用のための前記要求されたＲＦスペクトルの量および前記要求されたデータ帯域幅の量を委任するために、資源割り当てメッセージを前記ＤＰＣに送信することと
を含む、動的スペクトルアービトラージ（ＤＳＡ）方法。
【請求項１０】
前記資源登録要求メッセージを生成することが、
資源が利用可能にされる期間を決定する際に使用するのに適した情報を含む継続時間情報ＩＥ
を含むように前記資源登録要求メッセージを生成することを含む、請求項９に記載のＤＳＡ方法。
【請求項１１】
前記第１の電気通信ネットワーク内の複数のｅＮｏｄｅＢの混雑状態をモニタすることをさらに含み、前記第１の電気通信ネットワーク内の前記ＤＳＣによってサービス提供される前記セル内に割り当てに利用可能な帯域幅があるかどうかを判定ために前記ＤＳＣメモリに格納されたコンテキスト情報を使用することが、前記セル内に割り当てに利用可能なＲＦスペクトルおよびデータ帯域幅があるかどうかを前記モニタされた前記複数のｅＮｏｄｅＢの混雑状態に基づいて判定することを含む、請求項９に記載のＤＳＡ方法。
【請求項１２】
入札状態、入札役割、入札帯域幅、入札開始時間、入札失効時間、貸主ネットワーク識別子、グリッド及びセル識別子リスト、ならびにクローズド加入者グループ識別子のうちの１つを前記コンテキスト情報として使用するために前記ＤＳＣメモリに記憶することにより、データコンテキスト情報を維持することをさらに含む、請求項９に記載のＤＳＡ方法。
【請求項１３】
前記資源登録要求メッセージを動的スペクトルポリシコントローラ（ＤＰＣ）プロセッサ内で受信することと、
前記受信した登録要求メッセージを受諾するかどうかを判定することと、
前記資源登録要求メッセージを受諾すると判定することに応答して、前記データ帯域幅ＩＥ内で識別される前記ＲＦスペクトルの量および前記データ帯域幅の量を資源のプールに追加することと
をさらに含む、請求項９に記載のＤＳＡ方法。
【請求項１４】
前記第２の電気通信ネットワーク及び複数のさらなる電気通信ネットワークから資源入札を前記ＤＰＣ内で受信することであって、各資源入札は入札額及び前記要求された帯域幅の量を含み、
前記第２の電気通信ネットワークから受信した前記資源入札内の前記入札額が、前記要求された帯域幅の量に対して最も高い入札であると判定することと、
前記第２の電気通信ネットワークから受信した前記資源入札内で識別される前記要求されたＲＦスペクトルの量および前記要求されたデータ帯域幅の量を識別する情報を含むように前記落札成功メッセージを生成することと
をさらに含む、請求項１３に記載のＤＳＡ方法。
【請求項１５】
前記ＤＳＣによってサービスされる第1の電気通信ネットワーク内のセルを識別すること、
前記識別されたセル内に割り当てに利用可能な無線周波数（ＲＦ）スペクトルおよびデータ帯域幅があるかどうかを判定するために前記ＤＳＣメモリに格納されたコンテキスト情報を使用すること、
前記識別された前記セル内に割り当てに利用可能なＲＦスペクトルがあると判定することに応答して、資源登録要求メッセージを生成すること、
前記資源登録要求メッセージを生成することは通信メッセージを生成することを含み、通信メッセージを生成することは、
第２の電気通信ネットワーク内の無線デバイスによって割り当ておよび使用に利用可能なデータ帯域幅の量を識別するデータ帯域幅情報要素（ＩＥ）と、
利用可能にされるデータ帯域幅の位置に関するグリッド識別子を決定する際に使用するのに適した情報を含むグリッドＩＥのリストと、を含み、
前記データ帯域幅ＩＥおよび前記グリッドＩＥのリストを含む前記資源登録要求メッセージを前記ＤＰＣに送信すること、
前記データ帯域幅ＩＥおよび前記グリッドＩＥのリストを含む前記資源登録要求メッセージを送信することに応答して、前記ＤＰＣから資源登録応答メッセージを受信すること、
前記第２の電気通信ネットワークによって要求されたデータ帯域幅の量を識別する情報を含む落札成功メッセージを受信すること、及び
前記第２の電気通信ネットワーク内のワイヤレスデバイスによるアクセス及び使用のための前記要求されたＲＦスペクトルの量および前記要求されたデータ帯域幅の量を委任するために、資源割り当てメッセージを前記ＤＰＣに送信すること
を含む動作を、プロセッサ実行可能命令を用いて実行するように構成されるＤＳＣプロセッサ
を含む、動的スペクトルコントローラ（ＤＳＣ）サーバ。